(57)【要約】【課題】印刷紙面上の余白部分に幅方向へ配されたパッチの色濃度を測定することにより求めて、その色濃度が任意の色濃度になるようにインキキーの開度を制御する方法及び装置に関して、流れ方向の濃度ムラの影響を低減させる方法を提供する。【解決手段】印刷紙面上に設けられたバッチを測定して得られた情報に基づいてインキキーの開度を制御するインキキー制御方法において、印刷紙面上の流れ方向および幅方向に設けられたバッチの色濃度を測定する測定段階、前記バッチの測定結果から印刷紙面上の全体の色濃度を予測する予測段階、前記予測した印刷紙面上の色濃度に基づいてインキキーの開度を制御する制御投階、を有するインキキー制御方法などのインキキー制御装置やオフセット印刷機を提供する。【選択図】    図１
2005088480.tif 000002
【特許請求の範囲】
【請求項１】
印刷紙面上に設けられたバッチを測定して得られた情報に基づいてインキキーの開度を制御するインキキー制御方法において、
印刷紙面上の流れ方向および幅方向に設けられたバッチの色濃度を測定する測定段階、
前記バッチの測定結果から、印刷紙面上の全体の色濃度を予測する予測段階、
前記予測した印刷紙面上の色濃度に基づいてインキキーの開度を制御する制御投階、
を有するインキキー制御方法。
【請求項２】
前記制御段階は、予測した印刷紙面上の色濃度の平均色濃度が所望の色濃度になるように制御する請求項１記載のインキキー制御方法。
【請求項３】
印刷紙面上に設けられたバッチを測定して得られた情報に基づいてインキキーの開度を制御するインキキー制御装置において、
印刷紙面上の流れ方向および幅方向に設けられたバッチの色濃度を測定する測定手段、
前記バッチの測定結果から、印刷紙面上の全体の色濃度を予測する予測手段、
前記予測した印刷紙面上の色濃度に基づいてインキキーの開度を制御する制御手段、
を有するインキキー制御装置。
【請求項４】
前記制御手段は、予測した印刷紙面上の色濃度の平均色濃度が所望の色濃度になるように制御する請求項３記載のインキキー制御装置。
【請求項５】
請求項３または４記載のインキキー制御装置を備えるオフセット印刷機。
【発明の詳細な説明】
【技術分野】
【０００１】
オフセット印刷に適用されるものであり、印刷紙面上の色濃度を測定することにより求めて、その色濃度が任意の色濃度になるようにインキキーの開度を制御する方法及び装置に関し、さらに詳しくは印刷紙面上の余白部分に幅方向へ配されたパッチの色濃度を測定することにより求めて、その色濃度が任意の色濃度になるようにインキキーの開度を制御する方法及び装置、およびオフセット印刷機に関する。
【背景技術】
【０００２】
従来の印刷紙面上の色濃度を測定することにより求めて、その色濃度が所望の色濃度になるようにインキキーの開度を制御する方法は大きく分けると二種類に分類されていた。一つは印刷紙面上の絵柄の色濃度を測定することにより求めて、その色濃度が任意の色濃度になるようにインキキーの開度を制御する方法及び装置である。もう一つは印刷紙面上の余白部分に配されたパッチの色濃度を測定することにより求めて、その色濃度が任意の色濃度になるようにインキキーの開度を制御する方法及び装置であった。
【０００３】
前者は絵柄の色濃度を測定することから、絵柄の色調維持を目的とした絵柄管理には有効であった。ただし測定対象となる絵柄の色濃度は、その時々で測定対象となる絵柄の網点面積率の設計が異なることから、印刷開始前に所望の色濃度がどの程度であるかを把握することが難しいため、こういった制御装置のメリットの一つである印刷開始時の色合わせへの適用は困難であった。
【０００４】
後者は印刷物の余白部分に添付されたパッチの色濃度を計測・制御することから、どのような品目であっても任意の網点面積率の色濃度を取得することが可能であった。このため、絵柄の色濃度を計測・制御する場合よりも印刷開始前に所望の色濃度がどの程度であるかを把握することが比較的容易であることから、印刷開始時の色合わせへの適用が検討されており、海外などでは実用化されている。
【０００５】
しかしながら、測定している個所が絵柄ではないことから、例えば流れ方向の濃度ムラの影響が顕著に表れていた。具体的には測定対象であるパッチの色濃度は所望の色濃度で推移しているものの、絵柄部分の色濃度は所望の色濃度よりも低い色濃度で推移していることがあった。
【０００６】
なお一般的にムラと呼ばれる現象は塗工・画像形成の分野では共通の課題であり、その低減方法としては様々な方法が提案されていたが、オフセット印刷へ適用可能な濃度ムラの影響の低減方法は提案されていなかった。
【０００７】
例えば特許文献１ではオフセット印刷特有の縦方向の濃度ムラについては言及されておらず、前述の『測定対象であるパッチの色濃度は所望の色濃度で推移しているものの、絵柄部分の色濃度は所望の色濃度よりも低い色濃度で推移していること』といった問題へは適用できなかった。
【０００８】
【特許文献１】特開２００１−２６０４０７号公報
【発明の開示】
【発明が解決しようとする課題】
【０００９】
本発明はこのような技術的背景を考慮してなされたものであり、オフセット印刷における、印刷紙面上の色濃度を測定することにより求めて、その色濃度が任意の色濃度になるようにインキキーの開度を制御する方法及び装置に関し、さらに詳しくは印刷紙面上の余白部分に幅方向へ配されたパッチの色濃度を測定することにより求めて、その色濃度が任意の色濃度になるようにインキキーの開度を制御する方法及び装置に関して、流れ方向の濃度ムラの影響を低減させる方法を提案することである。
【課題を解決するための手段】
【００１０】
上記課題の解決を目的とした本発明の第一の発明は、印刷紙面上に設けられたバッチを測定して得られた情報に基づいてインキキーの開度を制御するインキキー制御方法において、
印刷紙面上の流れ方向および幅方向に設けられたバッチの色濃度を測定する測定段階、
前記バッチの測定結果から、印刷紙面上の全体の色濃度を予測する予測段階、
前記予測した印刷紙面上の色濃度に基づいてインキキーの開度を制御する制御投階、
を有するインキキー制御方法である。
【００１１】
また、本発明の第二の発明は、前記制御段階は、予測した印刷紙面上の色濃度の平均色濃度が所望の色濃度になるように制御する請求項１記載のインキキー制御方法である。
【００１２】
また、本発明の第三の発明は、印刷紙面上に設けられたバッチを測定して得られた情報に基づいてインキキーの開度を制御するインキキー制御装置において、
印刷紙面上の流れ方向および幅方向に設けられたバッチの色濃度を測定する測定手段、
前記バッチの測定結果から、印刷紙面上の全体の色濃度を予測する予測手段、
前記予測した印刷紙面上の色濃度に基づいてインキキーの開度を制御する制御手段、
を有するインキキー制御装置である。
【００１３】
また、本発明の第四の発明は、前記制御手段は、予測した印刷紙面上の色濃度の平均色濃度が所望の色濃度になるように制御する請求項３記載のインキキー制御装置である。
【００１４】
これにより従来、印刷物の余白部分に添付されたパッチの色濃度を計測・制御することで問題となっていた、流れ方向の濃度ムラの影響を考慮することが可能になる。
【００１５】
また、本発明の第五の発明は、請求項３または４記載のインキキー制御装置を備えるオフセット印刷機である。
【００１６】
これによって、印刷物の余白部分に添付されたパッチの色濃度を計測・制御しているにもかかわらず、濃度ムラの影響をシステム上で低減することが可能となり、絵柄品質が向上する。
【発明の効果】
【００１７】
以上で述べてきたように、本発明によれば、オフセット印刷における、印刷紙面上の余白部分に幅方向へ配されたパッチと流れ方向に配されたパッチの色濃度を印刷中に測定することにより求めて、その色濃度が任意の色濃度になるようにインキキーの開度を制御する様にしたため、流れ方向の濃度ムラの影響を低減させることができた。
【発明を実施するための最良の形態】
【００１８】
以下、図面を参照して本発明の詳細を説明する。
ただし、以下の内容は一つの実施の形態および例であり、本発明の請求の範囲を限定するものではない。
【００１９】
図１は、本発明のオフセット輪転機の一例を示す概略図である。印刷ユニット１０は、墨（Ｋ）ユニット１１、藍（Ｃ）ユニット１２、紅（Ｍ）ユニット１３、黄（Ｙ）ユニット１４からなり、各色のユニットの上胴と下胴の間に印刷用紙１５を通して印刷する構成となっている。
【００２０】
なお、この印刷ユニット１０には測定用カメラ２２と演算装置２１を備えたインキキー開度制御装置２０が搭載されており、そのインキキー開度制御装置２０はケーブル２３を介して印刷ユニット１０のインキキー開度を制御する。
【００２１】
図２は本発明を用いた色濃度の制御方法の一例であり、始めに版の余白部分に幅方向及び印刷の流れ方向へパッチを焼きこむステップ６１と、それと並行する形でインキキー開度制御装置へ所望の色濃度を目標濃度として設定するステップ６２を踏まえ、印刷開始のステップへ進む。
【００２２】
このとき、パッチを焼きこむ位置は絵柄部分に設けることができないため余白部分となるが、この場合、必ずしも絵柄部分の流れ方向に沿った余白部分に流れ方向に配されたパッチを設ける必要が無く、同様に幅方向に沿った余白部分に幅方向に配されたパッチを設ける必要も無いが、視覚的に確認が容易であるので絵柄部分の流れ方向に沿った余白部分に流れ方向に配されたパッチを設け、幅方向に沿った余白部分に幅方向に配されたパッチを設ける場合が多い。もちろんセンサーの都合で配置場所をどこの余白部分に設けることも可能である。
【００２３】
印刷開始後は、幅方向へ配列されたパッチの色濃度が所望の色濃度になるようにインキキー開度制御装置がインキキー開度を制御するステップ６４を経て、幅方向へ配列されたパッチの色濃度が所望の許容範囲（所望の色濃度＋許容幅）へ到達したかを判断するステップ６５へと進む。
【００２４】
ステップ６５では判断した結果がＮＧであればステップ６４へ戻り、ＯＫであれば流れ方向へ配列したパッチの色濃度を印刷中に測定し、流れ方向の色濃度の状態を把握するステップ６６へ至る。なおステップ６６はインキキー開度制御装置に搭載された測定部を併用して行う。
【００２５】
具体的には、その測定部は、幅方向へ配列されたパッチの色濃度が所望の色濃度になるようにインキキー開度制御装置がインキキー開度を制御中には、幅方向に移動しながら幅方向へ配列されたパッチの色濃度を測定しているが、ステップ６６に至った段階で流れ方向へ配列したパッチの色濃度を測定するための装置へ一時的に切り替わり、流れ方向へ配列したパッチを測定可能な位置に移動して、流れ方向へ配列したパッチの色濃度を測定する。
【００２６】
測定の時間は約１秒間で、この間、仮に印刷機の印刷速度が５００［ｒｐｍ］であれば測定部の下を通過する印刷物の部数が８部強であることから、印刷用紙８枚分の流れ方向へ配列したパッチの色濃度を測定できる。なお、流れ方向へ配列したパッチの色濃度を測定することに関しては専用の測定機を設けることも可能である。この場合にはコストは発生するが、測定機能が強化されるため、より正確な情報を取得できる。
【００２７】
以上のステップを経た段階で、幅方向と流れ方向へ配列されたパッチの色濃度を把握できることから、印刷紙面上の全面の色濃度を仮想的に算出するステップ６７へ進み、最後に流れ方向の色濃度が所望の色濃度になるようにインキキー開度制御装置へ目標濃度を与えるステップ６８へと進む。これ以降の工程は従来と同様の工程を経て印刷される。
【００２８】
上記の本発明を用いることで従来では考慮されていなかった流れ方向の濃度ムラを考慮できることから、計測している個所が絵柄ではないことに起因して絵柄部に現れていた流れ方向の濃度ムラの影響は低減できる。
【００２９】
なお、図３は、図２中の版の余白部分に幅方向及び印刷の流れ方向へパッチを焼きこむステップ６１を介した版を用いて印刷した結果であり、９１は印刷用紙、９２は幅方向に配されたパッチ、９３は流れ方向に配されたパッチ、９４から１０１は絵柄部分である。
【００３０】
パッチ９２、９３は、４色のパッチ９２Ｋ、９２Ｃ、９２Ｍ、９２Ｙ、９３Ｋ、９３Ｃ、９３Ｍ、９３Ｙが幅方向および流れ方向に繰り返し設けられ、各々のパッチは対応する絵柄部分の色濃度の８０％パッチとなっている。
【００３１】
一方、図４には従来から提案されている方法を示す。従来は版の余白部分に幅方向へパッチを焼きこむステップ１４０と、それと平行する形でインキキー開度制御装置へ所望の色濃度を目標濃度として設定するステップ１４１を踏まえ、印刷開始のステップ１４２へ進む。印刷開始後は、幅方向へ配列されたパッチの色濃度が所望の色濃度になるようにインキキー開度制御装置がインキキー開度を制御するステップ１４３へと至る。
【００３２】
この方法により、幅方向へ配列されたパッチの色濃度は所望の色濃度で推移しているものの、絵柄部分の色濃度は所望の色濃度よりも低い色濃度で推移することがあり、課題となっていた。なおこの方法は以下では従来法と称す。
【００３３】
そして参考までに図５には従来法を図４中の版の余白部分にパッチを焼きこむステップ１４０を介した版を用いて印刷した結果であり、１６０は印刷用紙、１６１は幅方向に配されたパッチ、１６２から１６９は絵柄部分である。
【００３４】
パッチ１６１は、４色のパッチ１６１Ｋ、１６１Ｃ、１６１Ｍ、１６１Ｙが幅方向に繰り返し設けられ、各々のパッチは対応する絵柄部分の色濃度の８０％パッチとなっている。
【実施例１】
【００３５】
ここでは図２に示す手順で実施した本発明の一実施例とその結果を示す
実施手順としては、まずテスト機としてインキキー開度制御装置を搭載した三菱重工株式会社製ＢＴ全判Ｂ−Ｂ型オフセット輪転機を選定した。
【００３６】
用意した版は絵柄部分にＳｔａｎｄａｒｄ  Ｃｏｌｏｒ  Ｉｍａｇｅ  Ｄａｔａ（以下ＳＣＩＤと称する）を、余白部分には図４に示すように単色８０％パッチをレイアウトした。
【００３７】
所望の色濃度は［Ｋ  Ｃ  Ｍ  Ｙ］＝［１．００  ０．９５  ０．９０  ０．８５］とし、許容幅は各色共に±０．１０として、インキキー開度制御装置へ設定した。以上の準備後、印刷を開始した。全てのステップを経るまでの経過は次の通りであった。
【００３８】
０分００秒  印刷機起動・昇速・回転数５００［ｒｐｍ］で固定・インキオン
１分００秒  幅方向へ配列されたパッチの色濃度が所望の色濃度になるようにインキキー開度制御装置がインキキー開度の制御を開始
２分００秒  幅方向へ配列されたパッチの色濃度が所望の許容範囲（所望の色濃度＋許容幅）へ到達したことを確認
流れ方向へ配列したパッチの色濃度を印刷中に測定し、流れ方向の色濃度の状態を把握
それらの結果から印刷紙面上の色濃度を仮想的に算出（例：墨・図６参照）流れ方向の
平均色濃度が所望の色濃度になるようにインキキー開度制御装置へ次の目標濃度を与えた
［Ｋ  Ｃ  Ｍ  Ｙ］＝［１．０４  ０．９９  ０．９４  ０．８９］
３分００秒  流れ方向の平均色濃度が所望の色濃度に至る（例：墨・図７参照）
この結果、本発明により流れ方向の濃度ムラが絵柄へ与える影響は低減できた。
【００３９】
具体的には絵柄部分の色濃度が所望の色濃度付近で推移していたため、ＳＣＩＤの絵柄の目視評価は良好であった。もちろん、この様な定量修正（＋０．０４）にかわって、定量修正その他の修正も用途等により適宜選択可能である。
【実施例２】
【００４０】
ここでは図４に示す手順で実施した従来法の一実施例とその結果を示す
実施手順としては、本発明の実施例と可能な限り同じ条件で実施すべく、まずテスト機としてインキキー開度制御装置を搭載した三菱重工製ＢＴ全判Ｂ−Ｂ型オフセット輪転機を選定した。
【００４１】
用意した版は絵柄部分にＳＣＩＤを、余白部分には図５に示すように単色８０％パッチをレイアウトした。所望の色濃度は［Ｋ  Ｃ  Ｍ  Ｙ］＝［１．００  ０．９５  ０．９０  ０．８５］としてインキキー開度制御装置へ設定した。以上の準備後、印刷を開始した。全てのステップを経るまでの経過は次の通りであった。
【００４２】
０分００秒  印刷機起動・昇速・回転数５００［ｒｐｍ］で固定・インキオン
１分００秒  幅方向へ配列されたパッチの色濃度が所望の色濃度になるようにインキキー開度制御装置がインキキー開度の制御を開始
２分００秒  幅方向へ配列されたパッチの色濃度が所望の色濃度で推移
しかしながら絵柄部分の色濃度は所望の色濃度よりも低い色濃度で推移
この結果、インキキー開度制御装置により幅方向へ配列されたパッチの色濃度は所望の色濃度にコントロールされていたものの、絵柄部分の色濃度は所望の色濃度よりも低い色濃度で推移していたため、ＳＣＩＤの絵柄の目視評価は良くなかった。具体的には色濃度が不足していた。
【産業上の利用可能性】
【００４３】
本発明は、オフセット印刷、特に好ましくはオフセット輪転印刷に利用可能である。
【図面の簡単な説明】
【００４４】
【図１】本発明のオフセット輪転機の一例を示す構成概略図である。
【図２】本発明を用いた制御方法の一例を示す流れ図である。
【図３】本発明を用いた制御方法を使用する際に必要となるパッチのレイアウトの一例である。
【図４】従来の方法を用いた制御方法の一例を示す流れ図である。
【図５】従来の方法を用いた制御方法を使用する際に必要となるパッチのレイアウトの一例である。
【図６】最初の色濃度分布算出結果を示すグラフである。
【図７】安定状態の色濃度分布算出結果を示すグラフである。
【符号の説明】
【００４５】
１０  印刷ユニット
１１  墨（Ｋ）ユニット
１２  藍（Ｃ）ユニット
１３  紅（Ｍ）ユニット
１４  黄（Ｙ）ユニット
１５  印刷用紙
２０  インキキー開度制御装置
２１  演算装置
２２  測定用カメラ
２３  ケーブル
６１〜６８  ステップ
９１  印刷用紙
９２  幅方向に配されたパッチ
９２Ｋ  対応する絵柄部分の墨濃度の８０％パッチ
９２Ｃ  対応する絵柄部分の藍濃度の８０％パッチ
９２Ｍ  対応する絵柄部分の紅濃度の８０％パッチ
９２Ｙ  対応する絵柄部分の黄濃度の８０％パッチ
９３  流れ方向に配されたパッチ
９３Ｋ  対応する絵柄部分の墨濃度の８０％パッチ
９３Ｃ  対応する絵柄部分の藍濃度の８０％パッチ
９３Ｍ  対応する絵柄部分の紅濃度の８０％パッチ
９３Ｙ  対応する絵柄部分の黄濃度の８０％パッチ
９４〜１０１  絵柄部分
１４０〜１４３  ステップ
１６０  印刷用紙
１６１  幅方向に配されたパッチ
１６１Ｋ  対応する絵柄部分の墨濃度の８０％パッチ
１６１Ｃ  対応する絵柄部分の藍濃度の８０％パッチ
１６１Ｍ  対応する絵柄部分の紅濃度の８０％パッチ
１６１Ｙ  対応する絵柄部分の黄濃度の８０％パッチ
１６２〜１６９  絵柄部分
【図１】
2005088480.tif 000003
【図２】
2005088480.tif 000004
【図３】
2005088480.tif 000005
【図４】
2005088480.tif 000006
【図５】
2005088480.tif 000007
【図６】
2005088480.tif 000008
【図７】
2005088480.tif 000009
【手続補正書】
【提出日】平成15年10月15日(2003.10.15)
【手続補正１】
【補正対象書類名】特許請求の範囲
【補正対象項目名】全文
【補正方法】変更
【補正の内容】
【特許請求の範囲】
【請求項１】
印刷紙面上に設けられたパッチを測定して得られた情報に基づいてインキキーの開度を制御するインキキー制御方法において、
印刷紙面上の流れ方向および幅方向に設けられたパッチの色濃度を測定する測定段階、
前記パッチの測定結果から、印刷紙面上の全体の色濃度を予測する予測段階、
前記予測した印刷紙面上の色濃度に基づいてインキキーの開度を制御する制御投階、
を有するインキキー制御方法。
【請求項２】
前記制御段階は、予測した印刷紙面上の色濃度の平均色濃度が所望の色濃度になるように制御する請求項１記載のインキキー制御方法。
【請求項３】
印刷紙面上に設けられたパッチを測定して得られた情報に基づいてインキキーの開度を制御するインキキー制御装置において、
印刷紙面上の流れ方向および幅方向に設けられたパッチの色濃度を測定する測定手段、
前記パッチの測定結果から、印刷紙面上の全体の色濃度を予測する予測手段、
前記予測した印刷紙面上の色濃度に基づいてインキキーの開度を制御する制御手段、
を有するインキキー制御装置。
【請求項４】
前記制御手段は、予測した印刷紙面上の色濃度の平均色濃度が所望の色濃度になるように制御する請求項３記載のインキキー制御装置。
【請求項５】
請求項３または４記載のインキキー制御装置を備えるオフセット印刷機。
【手続補正２】
【補正対象書類名】明細書
【補正対象項目名】全文
【補正方法】変更
【補正の内容】
【発明の詳細な説明】
【技術分野】
【０００１】
オフセット印刷に適用されるものであり、印刷紙面上の色濃度を測定することにより求めて、その色濃度が任意の色濃度になるようにインキキーの開度を制御する方法及び装置に関し、さらに詳しくは印刷紙面上の余白部分に幅方向へ配されたパッチの色濃度を測定
することにより求めて、その色濃度が任意の色濃度になるようにインキキーの開度を制御する方法及び装置、およびオフセット印刷機に関する。
【背景技術】
【０００２】
従来の印刷紙面上の色濃度を測定することにより求めて、その色濃度が所望の色濃度になるようにインキキーの開度を制御する方法は大きく分けると二種類に分類されていた。一つは印刷紙面上の絵柄の色濃度を測定することにより求めて、その色濃度が任意の色濃度になるようにインキキーの開度を制御する方法及び装置である。もう一つは印刷紙面上の余白部分に配されたパッチの色濃度を測定することにより求めて、その色濃度が任意の色濃度になるようにインキキーの開度を制御する方法及び装置であった。
【０００３】
前者は絵柄の色濃度を測定することから、絵柄の色調維持を目的とした絵柄管理には有効であった。ただし測定対象となる絵柄の色濃度は、その時々で測定対象となる絵柄の網点面積率の設計が異なることから、印刷開始前に所望の色濃度がどの程度であるかを把握することが難しいため、こういった制御装置のメリットの一つである印刷開始時の色合わせへの適用は困難であった。
【０００４】
後者は印刷物の余白部分に添付されたパッチの色濃度を計測・制御することから、どのような品目であっても任意の網点面積率の色濃度を取得することが可能であった。このため、絵柄の色濃度を計測・制御する場合よりも印刷開始前に所望の色濃度がどの程度であるかを把握することが比較的容易であることから、印刷開始時の色合わせへの適用が検討されており、海外などでは実用化されている。
【０００５】
しかしながら、測定している個所が絵柄ではないことから、例えば流れ方向の濃度ムラの影響が顕著に表れていた。具体的には測定対象であるパッチの色濃度は所望の色濃度で推移しているものの、絵柄部分の色濃度は所望の色濃度よりも低い色濃度で推移していることがあった。
【０００６】
なお一般的にムラと呼ばれる現象は塗工・画像形成の分野では共通の課題であり、その低減方法としては様々な方法が提案されていたが、オフセット印刷へ適用可能な濃度ムラの影響の低減方法は提案されていなかった。
【０００７】
例えば特許文献１ではオフセット印刷特有の縦方向の濃度ムラについては言及されておらず、前述の『測定対象であるパッチの色濃度は所望の色濃度で推移しているものの、絵柄部分の色濃度は所望の色濃度よりも低い色濃度で推移していること』といった問題へは適用できなかった。
【０００８】
【特許文献１】特開２００１-２６０４０７号公報
【発明の開示】
【発明が解決しようとする課題】
【０００９】
本発明はこのような技術的背景を考慮してなされたものであり、オフセット印刷における、印刷紙面上の色濃度を測定することにより求めて、その色濃度が任意の色濃度になるようにインキキーの開度を制御する方法及び装置に関し、さらに詳しくは印刷紙面上の余白部分に幅方向へ配されたパッチの色濃度を測定することにより求めて、その色濃度が任意の色濃度になるようにインキキーの開度を制御する方法及び装置に関して、流れ方向の濃度ムラの影響を低減させる方法を提案することである。
【課題を解決するための手段】
【００１０】
上記課題の解決を目的とした本発明の第一の発明は、印刷紙面上に設けられたパッチを測定して得られた情報に基づいてインキキーの開度を制御するインキキー制御方法において、
印刷紙面上の流れ方向および幅方向に設けられたパッチの色濃度を測定する測定段階、
前記パッチの測定結果から、印刷紙面上の全体の色濃度を予測する予測段階、
前記予測した印刷紙面上の色濃度に基づいてインキキーの開度を制御する制御投階、
を有するインキキー制御方法である。
【００１１】
また、本発明の第二の発明は、前記制御段階は、予測した印刷紙面上の色濃度の平均色濃度が所望の色濃度になるように制御する請求項１記載のインキキー制御方法である。
【００１２】
また、本発明の第三の発明は、印刷紙面上に設けられたパッチを測定して得られた情報に基づいてインキキーの開度を制御するインキキー制御装置において、
印刷紙面上の流れ方向および幅方向に設けられたパッチの色濃度を測定する測定手段、
前記パッチの測定結果から、印刷紙面上の全体の色濃度を予測する予測手段、
前記予測した印刷紙面上の色濃度に基づいてインキキーの開度を制御する制御手段、
を有するインキキー制御装置である。
【００１３】
また、本発明の第四の発明は、前記制御手段は、予測した印刷紙面上の色濃度の平均色濃度が所望の色濃度になるように制御する請求項３記載のインキキー制御装置である。
【００１４】
これにより従来、印刷物の余白部分に添付されたパッチの色濃度を計測・制御することで問題となっていた、流れ方向の濃度ムラの影響を考慮することが可能になる。
【００１５】
また、本発明の第五の発明は、請求項３または４記載のインキキー制御装置を備えるオフセット印刷機である。
【００１６】
これによって、印刷物の余白部分に添付されたパッチの色濃度を計測・制御しているにもかかわらず、濃度ムラの影響をシステム上で低減することが可能となり、絵柄品質が向上する。
【発明の効果】
【００１７】
以上で述べてきたように、本発明によれば、オフセット印刷における、印刷紙面上の余白部分に幅方向へ配されたパッチと流れ方向に配されたパッチの色濃度を印刷中に測定することにより求めて、その色濃度が任意の色濃度になるようにインキキーの開度を制御する様にしたため、流れ方向の濃度ムラの影響を低減させることができた。
【発明を実施するための最良の形態】
【００１８】
以下、図面を参照して本発明の詳細を説明する。
ただし、以下の内容は一つの実施の形態および例であり、本発明の請求の範囲を限定するものではない。
【００１９】
図１は、本発明のオフセット輪転機の一例を示す概略図である。印刷ユニット１０は、墨（Ｋ）ユニット１１、藍（Ｃ）ユニット１２、紅（Ｍ）ユニット１３、黄（Ｙ）ユニット１４からなり、各色のユニットの上胴と下胴の間に印刷用紙１５を通して印刷する構成となっている。
【００２０】
なお、この印刷ユニット１０には測定用カメラ２２と演算装置２１を備えたインキキー開度制御装置２０が搭載されており、そのインキキー開度制御装置２０はケーブル２３を
介して印刷ユニット１０のインキキー開度を制御する。
【００２１】
図２は本発明を用いた色濃度の制御方法の一例であり、始めに版の余白部分に幅方向及び印刷の流れ方向へパッチを焼きこむステップ６１と、それと並行する形でインキキー開度制御装置へ所望の色濃度を目標濃度として設定するステップ６２を踏まえ、印刷開始のステップへ進む。
【００２２】
このとき、パッチを焼きこむ位置は絵柄部分に設けることができないため余白部分となるが、この場合、必ずしも絵柄部分の流れ方向に沿った余白部分に流れ方向に配されたパッチを設ける必要が無く、同様に幅方向に沿った余白部分に幅方向に配されたパッチを設ける必要も無いが、視覚的に確認が容易であるので絵柄部分の流れ方向に沿った余白部分に流れ方向に配されたパッチを設け、幅方向に沿った余白部分に幅方向に配されたパッチを設ける場合が多い。もちろんセンサーの都合で配置場所をどこの余白部分に設けることも可能である。
【００２３】
印刷開始後は、幅方向へ配列されたパッチの色濃度が所望の色濃度になるようにインキキー開度制御装置がインキキー開度を制御するステップ６４を経て、幅方向へ配列されたパッチの色濃度が所望の許容範囲（所望の色濃度＋許容幅）へ到達したかを判断するステップ６５へと進む。
【００２４】
ステップ６５では判断した結果がＮＧであればステップ６４へ戻り、ＯＫであれば流れ方向へ配列したパッチの色濃度を印刷中に測定し、流れ方向の色濃度の状態を把握するステップ６６へ至る。なおステップ６６はインキキー開度制御装置に搭載された測定部を併用して行う。
【００２５】
具体的には、その測定部は、幅方向へ配列されたパッチの色濃度が所望の色濃度になるようにインキキー開度制御装置がインキキー開度を制御中には、幅方向に移動しながら幅方向へ配列されたパッチの色濃度を測定しているが、ステップ６６に至った段階で流れ方向へ配列したパッチの色濃度を測定するための装置へ一時的に切り替わり、流れ方向へ配列したパッチを測定可能な位置に移動して、流れ方向へ配列したパッチの色濃度を測定する。
【００２６】
測定の時間は約１秒間で、この間、仮に印刷機の印刷速度が５００［ｒｐｍ］であれば測定部の下を通過する印刷物の部数が８部強であることから、印刷用紙８枚分の流れ方向へ配列したパッチの色濃度を測定できる。なお、流れ方向へ配列したパッチの色濃度を測定することに関しては専用の測定機を設けることも可能である。この場合にはコストは発生するが、測定機能が強化されるため、より正確な情報を取得できる。
【００２７】
以上のステップを経た段階で、幅方向と流れ方向へ配列されたパッチの色濃度を把握できることから、印刷紙面上の全面の色濃度を仮想的に算出するステップ６７へ進み、最後に流れ方向の色濃度が所望の色濃度になるようにインキキー開度制御装置へ目標濃度を与えるステップ６８へと進む。これ以降の工程は従来と同様の工程を経て印刷される。
【００２８】
上記の本発明を用いることで従来では考慮されていなかった流れ方向の濃度ムラを考慮できることから、計測している個所が絵柄ではないことに起因して絵柄部に現れていた流れ方向の濃度ムラの影響は低減できる。
【００２９】
なお、図３は、図２中の版の余白部分に幅方向及び印刷の流れ方向へパッチを焼きこむステップ６１を介した版を用いて印刷した結果であり、９１は印刷用紙、９２は幅方向に配されたパッチ、９３は流れ方向に配されたパッチ、９４から１０１は絵柄部分である。
【００３０】
パッチ９２、９３は、４色のパッチ９２Ｋ、９２Ｃ、９２Ｍ、９２Ｙ、９３Ｋ、９３Ｃ、９３Ｍ、９３Ｙが幅方向および流れ方向に繰り返し設けられ、各々のパッチは対応する絵柄部分の色濃度の８０％パッチとなっている。
【００３１】
一方、図４には従来から提案されている方法を示す。従来は版の余白部分に幅方向へパッチを焼きこむステップ１４０と、それと平行する形でインキキー開度制御装置へ所望の色濃度を目標濃度として設定するステップ１４１を踏まえ、印刷開始のステップ１４２へ進む。印刷開始後は、幅方向へ配列されたパッチの色濃度が所望の色濃度になるようにインキキー開度制御装置がインキキー開度を制御するステップ１４３へと至る。
【００３２】
この方法により、幅方向へ配列されたパッチの色濃度は所望の色濃度で推移しているものの、絵柄部分の色濃度は所望の色濃度よりも低い色濃度で推移することがあり、課題となっていた。なおこの方法は以下では従来法と称す。
【００３３】
そして参考までに図５には従来法を図４中の版の余白部分にパッチを焼きこむステップ１４０を介した版を用いて印刷した結果であり、１６０は印刷用紙、１６１は幅方向に配されたパッチ、１６２から１６９は絵柄部分である。
【００３４】
パッチ１６１は、４色のパッチ１６１Ｋ、１６１Ｃ、１６１Ｍ、１６１Ｙが幅方向に繰り返し設けられ、各々のパッチは対応する絵柄部分の色濃度の８０％パッチとなっている。
【実施例１】
【００３５】
ここでは図２に示す手順で実施した本発明の一実施例とその結果を示す
実施手順としては、まずテスト機としてインキキー開度制御装置を搭載した三菱重工株式会社製ＢＴ全判Ｂ-Ｂ型オフセット輪転機を選定した。
【００３６】
用意した版は絵柄部分にＳｔａｎｄａｒｄ  Ｃｏｌｏｒ  Ｉｍａｇｅ  Ｄａｔａ（以下ＳＣＩＤと称する）を、余白部分には図４に示すように単色８０％パッチをレイアウトした。
【００３７】
所望の色濃度は［Ｋ  Ｃ  Ｍ  Ｙ］＝［１．００  ０．９５  ０．９０  ０．８５］とし、許容幅は各色共に±０．１０として、インキキー開度制御装置へ設定した。以上の準備後、印刷を開始した。全てのステップを経るまでの経過は次の通りであった。
【００３８】
０分００秒  印刷機起動・昇速・回転数５００［ｒｐｍ］で固定・インキオン
１分００秒  幅方向へ配列されたパッチの色濃度が所望の色濃度になるようにインキキー開度制御装置がインキキー開度の制御を開始
２分００秒  幅方向へ配列されたパッチの色濃度が所望の許容範囲（所望の色濃度＋許容幅）へ到達したことを確認
流れ方向へ配列したパッチの色濃度を印刷中に測定し、流れ方向の色濃度の状態を把握
それらの結果から印刷紙面上の色濃度を仮想的に算出（例：墨・図６参照）流れ方向の平均色濃度が所望の色濃度になるようにインキキー開度制御装置へ次の目標濃度を与えた
［Ｋ  Ｃ  Ｍ  Ｙ］＝［１．０４  ０．９９  ０．９４  ０．８９］
３分００秒  流れ方向の平均色濃度が所望の色濃度に至る（例：墨・図７参照）
この結果、本発明により流れ方向の濃度ムラが絵柄へ与える影響は低減できた。
【００３９】
具体的には絵柄部分の色濃度が所望の色濃度付近で推移していたため、ＳＣＩＤの絵柄の目視評価は良好であった。もちろん、この様な定量修正（＋０．０４）にかわって、定
量修正その他の修正も用途等により適宜選択可能である。
【実施例２】
【００４０】
ここでは図４に示す手順で実施した従来法の一実施例とその結果を示す
実施手順としては、本発明の実施例と可能な限り同じ条件で実施すべく、まずテスト機としてインキキー開度制御装置を搭載した三菱重工製ＢＴ全判Ｂ-Ｂ型オフセット輪転機を選定した。
【００４１】
用意した版は絵柄部分にＳＣＩＤを、余白部分には図５に示すように単色８０％パッチをレイアウトした。所望の色濃度は［Ｋ  Ｃ  Ｍ  Ｙ］＝［１．００  ０．９５  ０．９０  ０．８５］としてインキキー開度制御装置へ設定した。以上の準備後、印刷を開始した。全てのステップを経るまでの経過は次の通りであった。
【００４２】
０分００秒  印刷機起動・昇速・回転数５００［ｒｐｍ］で固定・インキオン
１分００秒  幅方向へ配列されたパッチの色濃度が所望の色濃度になるようにインキキー開度制御装置がインキキー開度の制御を開始
２分００秒  幅方向へ配列されたパッチの色濃度が所望の色濃度で推移
しかしながら絵柄部分の色濃度は所望の色濃度よりも低い色濃度で推移
この結果、インキキー開度制御装置により幅方向へ配列されたパッチの色濃度は所望の色濃度にコントロールされていたものの、絵柄部分の色濃度は所望の色濃度よりも低い色濃度で推移していたため、ＳＣＩＤの絵柄の目視評価は良くなかった。具体的には色濃度が不足していた。
【産業上の利用可能性】
【００４３】
本発明は、オフセット印刷、特に好ましくはオフセット輪転印刷に利用可能である。
【図面の簡単な説明】
【００４４】
【図１】本発明のオフセット輪転機の一例を示す構成概略図である。
【図２】本発明を用いた制御方法の一例を示す流れ図である。
【図３】本発明を用いた制御方法を使用する際に必要となるパッチのレイアウトの一例である。
【図４】従来の方法を用いた制御方法の一例を示す流れ図である。
【図５】従来の方法を用いた制御方法を使用する際に必要となるパッチのレイアウトの一例である。
【図６】最初の色濃度分布算出結果を示すグラフである。
【図７】安定状態の色濃度分布算出結果を示すグラフである。
【符号の説明】
【００４５】
１０  印刷ユニット
１１  墨（Ｋ）ユニット
１２  藍（Ｃ）ユニット
１３  紅（Ｍ）ユニット
１４  黄（Ｙ）ユニット
１５  印刷用紙
２０  インキキー開度制御装置
２１  演算装置
２２  測定用カメラ
２３  ケーブル
６１〜６８  ステップ
９１  印刷用紙
９２  幅方向に配されたパッチ
９２Ｋ  対応する絵柄部分の墨濃度の８０％パッチ
９２Ｃ  対応する絵柄部分の藍濃度の８０％パッチ
９２Ｍ  対応する絵柄部分の紅濃度の８０％パッチ
９２Ｙ  対応する絵柄部分の黄濃度の８０％パッチ
９３  流れ方向に配されたパッチ
９３Ｋ  対応する絵柄部分の墨濃度の８０％パッチ
９３Ｃ  対応する絵柄部分の藍濃度の８０％パッチ
９３Ｍ  対応する絵柄部分の紅濃度の８０％パッチ
９３Ｙ  対応する絵柄部分の黄濃度の８０％パッチ
９４〜１０１  絵柄部分
１４０〜１４３  ステップ
１６０  印刷用紙
１６１  幅方向に配されたパッチ
１６１Ｋ  対応する絵柄部分の墨濃度の８０％パッチ
１６１Ｃ  対応する絵柄部分の藍濃度の８０％パッチ
１６１Ｍ  対応する絵柄部分の紅濃度の８０％パッチ
１６１Ｙ  対応する絵柄部分の黄濃度の８０％パッチ
１６２〜１６９  絵柄部分